(57)【要約】【課題】  従来の大型化されている自販機を小型化かつ簡易化された自動販売装置に改良する。【解決手段】  店頭で市販されているジュース・コーヒー・ビール・タバコ等の商品を販売する自動販売機において、簡易小型化された自動販売機を設け、該自販機に化粧品・生理用品・避妊具・薬品・健康食品等の携帯必需品を収納し貨幣と両替したコインを投入して自動的に買い取る自販機と、店頭で市販されている化粧品・生理用品・避妊具・薬品・健康食品等を自動販売機を介して販売する自動販売装置本体を設け、該自販装置本体に１００円〜３００円程度の価格で購入できる安価で使い捨て可能な製品を収納しかつ所望の製品をコインで買い取ることを特徴とする簡易小型式自動販売装置とその処理管理システムの提供。【選択図】  図２
2005078127.tif 000002
【特許請求の範囲】
【請求項１】
店頭で市販されているジュース・コーヒー・ビール・タバコ等の商品を販売する自動販売機において簡易小型化された自動販売機を設け、該自販機に化粧品・生理用品・避妊具・薬品・健康食品等の携帯必需品を収納し貨幣と両替したコインを投入して自動的に買い取ることを特徴とする簡易小型式自動販売装置。
【請求項２】
前項の簡易小型式自動販売装置において、前記自販装置に収納される商品が安い価格で使い捨て可能な製品からなる請求項１記載の簡易小型式自動販売装置。
【請求項３】
請求項１記載の簡易小型式自動販売装置において、前記自販装置を部屋の壁面に取り付けかつ脱着可能となる請求項１記載の簡易小型式自動販売装置。
【請求項４】
請求項１記載の簡易小型式自動販売装置において、前記自動販売装置を空港・港・鉄道駅舎・道路サービスエリア等に設置されている公衆便所の個室トイレに配設してなる請求項１記載の簡易小型式自動販売装置。
【請求項５】
店頭で市販されている化粧品・生理用品・避妊具・薬品・健康食品等を販売する自動販売装置本体を設け、該自販装置本体に安価で使い捨て可能な製品を収納しかつ所望の製品をコインで買い取ることを特徴とする簡易小型式自動販売処理管理システム。
【請求項６】
請求項５記載の簡易小型式自動販売処理管理システムにおいて、自動販売装置本体を個人トイレの個室壁面に着脱自在に取り付け、かつ該自動販売装置本体に収納されている各種商品の販売数量及び販売金額を自動処理することを可能にした請求項５記載の簡易小型式自動販売処理管理システム。
【請求項７】
請求項５記載の簡易小型式自動販売処理管理システムにおいて、自動販売装置本体の上部にビデオを取り付け、かつ該ビデオを介して自動販売装置の取り扱い方法と各商品の使用方法を案内する請求項５及び６記載の簡易小型式自動販売処理管理システム。
【請求項８】
請求項１及び５記載の簡易小型式自動販売装置とその処理管理システムにおいて、前記自動販売装置をカラオケルーム・喫茶室・映画館等の各室に個人トイレを配設し、かつ該各室の自動販売装置を受付のフロントにて自動操作を可能にしてなる請求項１又は５記載の簡易小型式自動販売装置とその処理管理システム。
【発明の詳細な説明】
【技術分野】
【０００１】
本発明は、ジュース・コーヒー・ビール・タバコ等の自動販売機に関するが、詳しくは簡易小型式の自動販売装置とその処理管理システムに関するものである。
【背景技術】
【０００２】
従来から一般的に市場化されている自販機としては、例えばたばこの自動販売機などがあり、この自販機の商品収納装置は複数の収納枠を有しており各収納枠内にはたばこが何層かに積み上げて収納されている。収納枠からのたばこの払い出しは、最下層のたばこから順次行われその際収納枠内に残るたばこ列はその全体が下降することになる。そして、各収納枠内へのたばこの補充を可能としかつたばこの払い出し時に収納枠内に残るたばこ列の下降を案内するために各収納枠の前面は開口されており、その開口部に開閉可能なたばこ押さえが設けられているものが多用されている。
【０００３】
そこで、最近は更に改良を加えた商品収納装置が開発され特開平１０−２１４５５号の公開特許公報で開示されている。この改良発明は、商品の払い出しを安定して行えて商品の補充作業を容易にした自動販売機の商品収納装置を提供するものであり、その特徴は自動販売機の商品収納装置は一対の収納枠毎にガイドとして機能する矩形のフレーム形状をなしたたばこ押さえを１つ備えており、このたばこ押さえはその下端部を回動自在に支持するための支持具と、その下端部と固定側との間に設けられたねじりコイルばねを有している。このねじりコイルばねにより、たばこ押さえはその閉方向に付勢力を受け閉じた状態にあるとき収納枠内のたばこ列の下降を案内するところにある。
【特許文献１】特開平１０−２１４５５号公報
【０００４】
具体的には、図７乃至図１１に示すようにたばこの自動販売機体４２の前面にドア４４を備えており、そのドア４４は機体４２に上下一対のヒンジ４６を介して取り付けられている。機体４２内の多数の収納枠列が露出されており、これら収納枠列は機体４２内に上下複数段にして配置されている。また、その中段から上側部分の収納枠列４８及び最下段の左側部部分の収納枠列５０のみが示され、中央段の収納枠列５２及び最下段の右側部分の収納枠列５４はブロック化して示されている。この収納枠列４８には機体４２の上部左側部分に配置された第１種収納枠列４８ａと、上部右側部分に配置された第２種収納枠列４８ｂと、上部中央部分に配置された第２種収納枠列４８ｃと、この第２種収納枠列４８ｃの左右かつ第１及び第２種収容枠列４８ａ、４８ｂの下側に配置された第２種収納枠列４８ｄとが含まれている。一方、第３種収納枠列５０の前面のガイド部材はたばこ押さえ６２として構成されており、これらたばこ押さえ６２は隣接する２つの収納枠に対して１つずつ備えられている。たばこ押さえ６２の下端部は、その幅方向でみて中央が分離されている。支持具７０は、たばこ押さえ６２の幅方向に延びるプレート部材からなり、その左右両端に手前側に突出するブラケット部７２が一体にして形成されている。これらブラケット部７２のそれぞれには、互いに同軸線上に孔７４が形成されておりこれら孔７４にたばこ押さえ６２の分離した下端部がそれぞれ外側から押通されている。また、ねじりコイルばね７６の各コイル部の外端からは可動アーム７８がそれぞれ上方に向けて延びており、これら可動アーム７８はたばこ押さえ６２の対応する側の縦枠部分に向けて水平方向に一旦屈曲された後、その縦枠部分に固定されている。また収納枠８２には、例えばたばこ５個ずつ包装して得たたばこパックＴｐを収納することができる。この場合、たばこパックＴｐは収納枠８２内にて横積みに収納され、収納枠５２からは隣接する２つの商品払い出し装置５６が連動して作動されることにより、たばこパックＴｐ毎に払い出されることになる。更に、商品払い出し装置５６は２つのロータリタイプのプッシャ８４、８６を有している。第１及び第２のプッシャ８４、８６は、その回転に伴い収納枠４６内に突出で商品払い出し装置４６のハウジング内に没入することができる。
【発明の開示】
【発明が解決しようとする課題】
【０００５】
本発明は、従来の大型式の自動販売機を改良して小型化するとともに、使い捨て可能な製品とりわけ女性専用の携帯製品を簡単容易に購入できるようにしたところに本発明の解決しようとする課題を有する。
【課題を解決するための手段】
【０００６】
本発明は上記の如き課題を解決するために開発したものであって、店頭で市販されているジュース・コーヒー・ビール・タバコ等の商品を販売する自動販売機において簡易小型化された自動販売機を設け、該自販機に化粧品・生理用品・避妊具・薬品・健康食品等の携帯必需品を収納し貨幣と両替したコインを投入して自動的に買い取ることを特徴とする簡易小型式自動販売装置の提供にあり、また前記の簡易小型式自動販売装置において前記自販装置に収納される商品が安い価格で使い捨て可能な製品からなる簡易小型式自動販売装置の提供にあり、また前記の簡易小型式自動販売装置において前記自販装置を部屋の壁面に取り付けかつ脱着可能となる簡易小型式自動販売装置の提供にあり、また前記の簡易小型式自動販売装置において前記自動販売装置を空港・港・鉄道駅舎・道路サービスエリア等に設置されている公衆便所の個室トイレに配設してなる簡易小型式自動販売装置の提供にある。
【０００７】
更に本発明は、店頭で市販されている化粧品・生理用品・避妊具・薬品・健康食品等を販売する自動販売装置本体を設け、該自販装置本体に安価で使い捨て可能な製品を収納しかつ所望の製品をコインで買い取ることを特徴とする簡易小型式自動販売処理管理システムの提供にあり、また前記の簡易小型式自動販売管理システムにおいて自動販売装置本体を個人トイレの個室壁面に着脱自在に取り付けかつ該自動販売装置本体に収納されている各種商品の販売数量及び販売金額を自動処理することを可能にした簡易小型式自動販売処理管理システムの提供にあり、また前記の簡易小型式自動販売管理システムにおいて自動販売装置本体の上部にビデオを取り付けかつ該ビデオを介して自動販売装置の取り扱い方法と各商品の使用方法を案内する簡易小型式自動販売処理管理システムの提供にあり、また前記の簡易小型式自動販売装置とその処理管理システムにおいて前記自動販売装置をカラオケルーム・喫茶室・映画館等の各室に個室トイレを配設しかつ該各室の自動販売装置を受付のフロントにて自動操作を可能にしてなる簡易小型式自動販売装置とその処理管理システムの提供にある。
【発明の効果】
【０００８】
本発明は、店頭で市販されているジュース・コーヒー・ビール・タバコ等の商品を販売する自動販売機において簡易小型化された自動販売機を設け、該自販機に化粧品・生理用品・避妊具・薬品・健康食品等の携帯必需品を収納し貨幣と両替したコインを投入して自動的に買い取ることを特徴とする簡易小型式自動販売装置であり、また前記の簡易小型式自動販売装置において前記自販装置に収納される商品が安い価格で使い捨て可能な製品からなる簡易小型式自動販売装置であり、また前記の簡易小型式自動販売装置において前記自販装置を部屋の壁面に取り付けかつ脱着可能となる簡易小型式自動販売装置であり、また前記の簡易小型式自動販売装置において前記自動販売装置を空港・港・鉄道駅舎・道路サービスエリア等に設置されている公衆便所の個室トイレに配設してなる簡易小型式自動販売装置である。
【０００９】
また本発明は、店頭で市販されている化粧品・生理用品・避妊具・薬品・健康食品等を販売する自動販売装置本体を設け、該自販装置本体に安価で使い捨て可能な製品を収納しかつ所望の製品をコインで買い取ることを特徴とする簡易小型式自動販売処理管理システムであり、また前記の簡易小型式自動販売管理システムにおいて自動販売処理装置本体を個人トイレの個室壁面に着脱自在に取り付けかつ該自動販売装置本体に収納されている各種商品の販売数量及び販売金額を自動処理することを可能にした簡易小型式自動販売処理管理システムであり、また前記の簡易小型式自動販売処理管理システムにおいて自動販売装置本体の上部にビデオを取り付けかつ該ビデオを介して自動販売装置の取り扱い方法と各商品の使用方法を案内する簡易小型式自動販売処理管理システムであり、また前記の簡易小型式自動販売装置とその管理システムにおいて前記自動販売装置をカラオケルーム・喫茶室・映画館等の各室個人トイレに配設しかつ該各室の自動販売装置を受付のフロントにて自動操作を可能にしてなる簡易小型式自動販売装置とその処理管理システムであるから、従来の自販機では得られない次のような多くの効果を有する。
【００１０】
ア、従来の大型式自販機よりも小型化かつ簡易化した自販装置にすることによって、簡単な構造でしかも取り扱いが簡便であるから、いつでもどこでも簡単容易に取り付けることができる。
イ、特に若い女性がデートなどで外出する場合は、必ずハンドバック等の収納ケース内に化粧品・生理用品・避妊具・薬品・健康食品などの常備品を携帯しなければならず、しかも口紅やクリームなど長年使用するために変色などして全部使用せずに処分しているのが現状である。しかし、本発明の自販装置が外出先の個室のトイレ・カラオケルーム・同伴喫茶室などに常備されていれば、いつでも使いたいものを簡単容易に入手して使い捨てすることができるので大変便利である。
ウ、また、本発明の自販装置を用いれば女性専用トイレの洗面所で化粧しなくてもよく、また他人に見られずに好みの化粧品や生理用品などを購入して即使用することが可能となるので非常に効率的で便利である。
エ、また、本発明の自販装置は大店舗式のカラオケビルや個室式の同伴喫茶店などの各個室にトイレを常設し、その中に本発明の自販装置を常備させておくことによっていちいちビル専用のトイレに行かずに個室内で対処することができる。  
オ、また、各個室に常設してある本発明の自販装置の操作を自動コントロールでる電動システム化することによって、各室の収納商品を集中一元化して処理管理することができるので、低コストで少ない従業員で管理することができる。
カ、更に、性の問題が低学化されている現状社会においては正しい性教育、とりわけコンドームの使用方法についても実践的な指導・教育することができるので、教育上においても優れた自販システムといえる。
キ、更に、本発明装置を空港・港・鉄道駅舎・道路サービスエリア等の個室トイレに常設しておけば、長距離旅行などにおいては特に便利である。
【発明を実施するための最良の形態】
【００１１】
以下、図面によって本発明を実施するための最良な形態について説明する。
【００１２】
まず、図１により本発明からなる自動販売装置について説明すれば、自販装置本体１は把手３付の開閉ドア２を有し、その開閉ドア２にはコイン投入穴４と使捨用携帯必需品Ｂを収納する化粧品ケースＢ1 と生理用品ケースＢ2 と避妊具ケースＢ3 と薬品ケースＢ4 とが設けてある。そして、この各ケースＢ1 〜Ｂ4 内に収納されている商品はプッシュボタン５ａ〜５ａの作動で取り出すことができるように構成されている。すなわち、専用コンイＡをコイン投入穴４に投入して所望のプッシュボタンを押せば、下側の落下穴６に所望の商品が落下されることになっている。
【００１３】
このように構成されている本発明の自販装置本体１は、非常に小型化することができるので狭いトイレなどの個室の壁面Ｃに着脱自在に装備することが可能となる。特に、女性専用のトイレ内に取り付けることによって、これらの商品をいちいち薬屋などの店で購入しなくても必要な製品を必要な時に自由に購入することができる。
【００１４】
次に、図２と図３と図４により本発明からなる自動販装置の利用方法について説明する。図２には個室式のカラオケルームに本発明の自販装置を取り付けた状態を示したものであり、１０は個室用カラオケルーム、１１は個室、１２はカラオケ、１３は女性用トイレ、１４はトイレ内部、１５トイレ、１６は鏡、１７はダストボックス、１９はドア、１８はテーブルである。通常カラオケボックスは数人を収納する個室が多いが、最近はアベック用のカラオケボックスが設けるところが多くなってきた。これは単に歌を歌うだけではなく会話などのデート用にも使用できるようにしたものであり、最近の繁華街のカラオケボックスとして若い女性に受けているようである。つまり、今風のヤングのデートは安い料金でしかも１つの場所、特に２人だけの個室で長時間にわたって恋人と一緒に過ごすのが流行しているようであり、それには個室でもってトイレなどのすべての用をたすのを好むことになる。ここに本発明の自販装置の目的があるといえる。なお、自販装置本体１の使用方法は前述のとおりであるので説明は省略する。また、図３は個室式の同伴喫茶室を示したものであり、２０はその個室同伴喫茶室、２１は個室、２２はテーブル、２３はソファー、２４は女性用トイレ、２５は鏡、２６はダストボックス、２７はドアである。この場合も前述の個室式のカラオケボックスと同様に従来の個室同伴喫茶室２０内に個室式トイレ２４を設け、その中に本発明がなる自販装置本体１を取り付けたものである。このように従来の個室式の同伴喫茶室内に女性専用トイレと女性専用の自販機を常設することによって、いちいち外へ出なくても所用を済ませることができる。また、図４はシートボックスとして配備されている映画館の個室式の同伴用観賞室を示したものであり、３０は個室同伴用観賞室、３１ドア、３２椅子、３３ダストボックス、３４は女性用トイレ、３５はトイレ、３６は鏡、３７はドアである。通常映画館には特別個室用のシートボックスがあり、そこには若者のアベックが入室して映画を観賞している。すなわち、スクリーンＳのみ正面から見ることができるがあとは外部とは完全に遮弊されている。このような個室にも前述の同伴カラオケボックスや同伴喫茶室と同様に、本発明からなる自販装置本体を常設させておくことによって同様な効果が得られる。
【００１５】
次に図５と図６によって、大型店舗式のカラオケ会館内に本発明からなる自動販売装置を装設し、その管理システムを示したものである。まず、カラオケ会館の各階に個室同伴式のカラオケボックスを装設し、この各個室のカラオケボックス１０内に女性専用のトイレ１３と自販装置本体１を取り付け、この自販装置本体１に収納されている商品の購入料やコイン数などの管理を集中一元化してシステム化したものである。すなわち、カラオケ会館の受付でコインを購入して各個室のカラオケルーム内でコインを使用し、所望の商品を購入すると管理室のパソコンに表示されるので、それをプリンターすれば現在の在庫などをチェックすることが可能となる。なお、図６は本発明がなる自販装置本体１の上にビデオＷを置いた状態を示したものであり、このビデオＷに個室利用のエチケットやマナーを流すとともに、各商品の正しい使用方法などを説明することによって中高校の女子学生に正しい性に関する知識を教えることで性教育にも役立たせることもできる。
【００１６】
なお、本実施例では女性専用のトイレについて説明しているが、それは主として女性を対象にした自販装置とそのシステムであって、男性の場合でも同様な効果が得られることは云うまでもない。また、自販装置に収納する商品も女性に限定されず男性のものでよい。更に、女性・男性・子供・大人などに広く使用される商品を収納することも可能である。
【図面の簡単な説明】
【００１７】
【図１】本発明の自動販売装置を示した説明概要図。
【図２】本発明装置の利用方法を示した説明概要図。
【図３】本発明装置の利用方法を示した説明概要図。
【図４】本発明装置の利用方法を示した説明概要図。
【図５】本発明装置を用いた管理システムの説明概要図。
【図６】本発明装置を用いた管理システムの説明概要図。
【図７】従来の自動販売機を示した説明概要図。
【図８】図７に示した従来自販機の使用方法を示した説明概要図。
【図９】図７に示した従来自販機の使用方法を示した説明概要図。
【図１０】図７に示した従来自販機の使用方法を示した説明概要図。
【図１１】図７に示した従来自販機の使用方法を示した説明概要図。
【符号の説明】
【００１８】
１  自販装置本体              ２  開閉ドア
３  把手                      ４  コイン投入穴
５ａ、５ｂ、５ｃ、５ｄ  プッシュボタン
６  落下穴                    Ａ  専用コイン
Ｂ  使捨用携帯必需品          Ｃ  壁面
Ｂ1   化粧品ケース            Ｂ2   生理用品ケース
Ｂ3   避妊具ケース            Ｂ4   薬品ケース
１０  個室用カラオケルーム    １１、２１  個室
１２  カラオケ                １３、２４、３４  女性用トイレ
１４  トイレ内部              １５、２４、３５  トイレ
１６、２５  鏡                １７、２６、３３  ダストボックス
１８、２２  テーブル          １９、２７、３１  ドア
２０  個室同伴用喫茶室        ２３  ソファー
３０  個室同伴用観覧室        ３２  椅子
Ｈ  ヘッドホン                Ｓ  スクリーン
Ｅ  受付                      Ｆ  管理室
Ｗ  ビデオ
【図１】
2005078127.tif 000003
【図２】
2005078127.tif 000004
【図３】
2005078127.tif 000005
【図４】
2005078127.tif 000006
【図５】
2005078127.tif 000007
【図６】
2005078127.tif 000008
【図７】
2005078127.tif 000009
【図８】
2005078127.tif 000010
【図９】
2005078127.tif 000011
【図１０】
2005078127.tif 000012
【図１１】
2005078127.tif 000013